(57)【要約】【課題】  内部輝度検出センサの故障を精度よく検出することが可能な液晶表示装置及びその制御方法を提供する。【解決手段】  第１動作モードでは輝度検出手段への外光を遮断するように液晶パネルを駆動し、第２動作モードでは輝度検出手段へ外光を導くように液晶パネルを駆動する。光源が点灯し、液晶パネルが第１動作モードで駆動されている状態で、基準値に対して所定値以上異なる検出値を有する輝度検出手段の位置を光源異常位置として記憶部に記憶する。更に、光源が消灯し、液晶パネルが第２動作モードで駆動されている状態で、基準値に対して所定値以上異なる検出値を有する輝度検出手段の位置を外光異常位置として記憶部に記憶する。記憶部に記憶した、光源異常位置と外光異常位置とが一致している位置の輝度検出手段を故障していると判定する。【選択図】  図１
2012037540.tif 000002
【特許請求の範囲】
【請求項１】
液晶パネルの背面側に光源が設けられた液晶表示装置において、
前記液晶パネルと前記光源との間に設けられた、輝度を検出するための複数の輝度検出手段と、
第１動作モードでは、前記複数の輝度検出手段への外光を遮断するように前記液晶パネルを駆動し、第２動作モードでは、前記複数の輝度検出手段へ外光を導くように前記液晶パネルを駆動する駆動手段と、
前記光源が点灯し、前記駆動手段によって前記液晶パネルが前記第１動作モードで駆動されている状態で、基準値に対して所定値以上異なる検出値を有する輝度検出手段の位置を光源異常位置として記憶部に記憶させ、
前記光源が消灯し、前記駆動手段によって前記液晶パネルが前記第２動作モードで駆動されている状態で、基準値に対して所定値以上異なる検出値を有する輝度検出手段の位置を外光異常位置として記憶部に記憶させる制御手段と、
前記制御手段により記憶部に記憶された、前記光源異常位置と前記外光異常位置とが一致しているか否かを判断し、一致している位置の前記輝度検出手段を故障していると判定する判定手段を有することを特徴とする液晶表示装置。
【請求項２】
前記判定手段により、前記複数の輝度検出手段の中で故障していると判定された輝度検出手段が存在する場合には、故障している輝度検出手段があることを通知する通知手段を有することを特徴とする請求項１に記載の液晶表示装置。
【請求項３】
前記通知手段は前記故障している輝度検出手段の位置を通知することを特徴とする請求項２に記載の液晶表示装置。
【請求項４】
前記制御手段は、前記基準値に対して差分が所定値未満の検出値を有する輝度検出手段の補正データとして前記差分を記憶部に記憶させる制御を行い、
前記補正データを用いて前記輝度検出手段の補正を行う補正手段を有することを特徴とする請求項１乃至３のいずれか一項に記載の液晶表示装置。
【請求項５】
液晶パネルの背面に光源が設けられた液晶表示装置において、
液晶表示装置の表示画面の向きを表示画面と水平な平面上で９０度以上回転可能とする回転手段と、
前記液晶パネルと前記光源との間に設けられた、輝度を検出するための複数の輝度検出手段と、
前記輝度検出手段により輝度を検出する際に、前記輝度検出手段に前記液晶表示装置に照射されている外光を導くように前記液晶パネルを駆動する駆動手段と、
前記光源を消灯し前記駆動手段によって前記液晶パネルが駆動されている状態において、前記表示画面が第１方向を向いている状態と、前記回転手段により前記表示画面が表示画面と水平な平面上で前記第１方向から９０度または１８０度回転した第２方向を向いている状態とで検出した前記輝度検出手段の検出結果に基づき、前記輝度検出手段が故障しているか否かを判定する判定手段と、
前記判定手段に基づき、故障していると判定された輝度検出手段の位置を記憶部に記憶させる制御を行う制御手段と、を有し、
前記制御手段は、前記表示画面が前記第１方向を向いている状態での、前記輝度検出手段による検出値と基準値との差分が所定値よりも大きいと前記判定手段で判定された場合には、前記制御手段は、前記輝度検出手段の位置を第１異常位置として記憶部に記憶させ、
前記表示画面が前記第２方向を向いている状態での、前記輝度検出手段による検出値と基準値との差分が所定値よりも大きいと前記判定手段で判定された場合には、前記制御手段は、前記輝度検出手段の位置を第２異常位置として記憶部に記憶させる制御を行い、
前記判定手段は、前記制御手段により前記記憶部に記憶された前記第１異常位置と前記第２異常位置とが一致しているか否かを判断し、一致している位置の前記輝度検出手段を故障と判定することを特徴とする液晶表示装置。
【請求項６】
前記制御手段は、前記表示画面が第１方向を向いている状態で、前記輝度検出手段による検出値と基準値との差分が所定値未満であると前記判定手段で判定された場合に、前記制御手段は、該差分である第１差分を前記輝度検出手段の補正データとして記憶部に記憶させ、
前記表示画面が第２方向を向いている状態で、前記輝度検出手段による検出値と基準値との差分が所定値未満であると前記判定手段で判定された場合に、前記制御手段は、該差分である第２差分を前記輝度検出手段の補正データとして記憶部に記憶させ、
前記第１差分が補正データとして記憶されている輝度検出手段の位置と、前記第２差分が補正データとして記憶されている輝度検出手段の位置とが一致すると、前記判定手段が判定した場合には、前記第１差分と前記第２差分との平均値を、該輝度検出手段の補正データとする制御を行うことを特徴とする請求項５に記載の液晶表示装置。
【請求項７】
前記基準値は、前記複数の輝度検出手段の検出値の平均値であることを特徴とする請求項１乃至６のいずれか一項に記載の液晶表示装置。
【請求項８】
液晶パネルの背面側に光源が設けられた液晶表示装置の制御方法において、
前記液晶パネルと前記光源との間に設けられた複数の輝度検出手段により、輝度を検出する検出ステップと、
第１動作モードでは、前記複数の輝度検出手段への外光を遮断するように前記液晶パネルを駆動し、第２動作モードでは、前記複数の輝度検出手段へ外光を導くように前記液晶パネルを駆動する駆動ステップと、
前記光源が点灯し、前記駆動ステップで前記液晶パネルが前記第１動作モードで駆動されている状態で、基準値に対して所定値以上異なる検出値を有する輝度検出手段の位置を光源異常位置として記憶部に記憶させ、
前記光源が消灯し、前記駆動ステップで前記液晶パネルが前記第２動作モードで駆動されている状態で、基準値に対して所定値以上異なる検出値を有する輝度検出手段の位置を外光異常位置として記憶部に記憶させる制御ステップと、
前記制御ステップで記憶部に記憶した、前記光源異常位置と前記外光異常位置とが一致しているか否かを判断し、一致している位置の前記輝度検出手段を故障していると判定する判定ステップを有することを特徴とする液晶表示装置の制御方法。
【請求項９】
液晶パネルの背面に光源が設けられた液晶表示装置の制御方法において、
前記液晶パネルと前記光源との間に設けられた複数の輝度検出手段により、輝度を検出する検出ステップと、
前記光源を消灯し、前記輝度検出手段に前記液晶表示装置に照射されている外光を導くように、前記液晶パネルを駆動する駆動ステップと、
前記液晶表示装置の表示画面が第１方向を向いている状態で、前記検出ステップにおいて検出された前記輝度検出手段の検出値と基準値との差分が所定値よりも大きいと判定された場合には、前記輝度検出手段の位置を第１異常位置として記憶部に記憶させる第１の制御ステップと、
前記表示画面が表示画面と水平な平面上で前記第１方向から９０度または１８０度回転した第２方向を向くように、前記表示画面を回転させる回転ステップと、
前記表示画面が第２方向を向いている状態で、前記検出ステップにおいて検出された前記輝度検出手段の検出値と基準値との差分が所定値よりも大きいと判定された場合には、前記輝度検出手段の位置を第２異常位置として記憶部に記憶させる第２の制御ステップと、
前記記憶部に記憶されている前記第１異常位置と前記第２異常位置とが一致しているか否かを判断し、一致している位置の前記輝度検出手段を故障と判定する判定ステップと
を有することを特徴とする液晶表示装置の制御方法。
【発明の詳細な説明】
【技術分野】
【０００１】
本発明は、輝度センサの故障検出を行う液晶表示装置及びその制御方法に関する。
【背景技術】
【０００２】
液晶表示装置において、近年バックライト光源の輝度を表示面内で均一に保つ目的で液晶モジュール内部の光源近傍に内部輝度検出センサを設けることがある。下記の特許文献１では、この内部輝度検出センサを用いて外光を検出し、検出した外光分布に応じてバックライト光源を補正し、外光の照射状況に係わらず良好な画像の表示を行うことができる。
【０００３】
一方、下記の特許文献２には、外光センサの検出信号が所定値以下の状態で一定時間経過した場合に、該外光センサが故障していると判定する技術が開示されている。
【先行技術文献】
【特許文献】
【０００４】
【特許文献１】特開２００８−２３３３７９号公報
【特許文献２】特開２００５−１４８４９０号公報
【発明の概要】
【発明が解決しようとする課題】
【０００５】
光源近傍に設けられた内部輝度検出センサが故障していた場合、適正な光源の補正を行うことができない。内部輝度検出センサが複数設けられている場合、液晶表示装置に照射される光が表示面内で均一であれば、周囲の内部輝度検出センサの出力値と異なる出力値の内部輝度検出センサが故障していると判定できる。しかし、照射される外光にむらがある場合には内部輝度検出センサが複数設けられていたとしても、周囲の内部輝度検出センサの出力値との違いが外光のむらによるものなのか、内部輝度検出センサの故障によるものなのかが判別できないという問題があった。
【０００６】
よって本発明は、内部輝度検出センサの故障を精度よく検出することが可能な表示装置及びその制御方法を提供することを目的とする。
【課題を解決するための手段】
【０００７】
上記目的を達成するために、本発明は、液晶パネルの背面側に光源が設けられた液晶表示装置において、前記液晶パネルと前記光源との間に設けられた、輝度を検出するための複数の輝度検出手段と、第１動作モードでは、前記複数の輝度検出手段への外光を遮断するように前記液晶パネルを駆動し、第２動作モード時には、前記複数の輝度検出手段へ外光を導くように前記液晶パネルを駆動する駆動手段と、前記光源が点灯し、前記駆動手段によって前記液晶パネルが前記第１動作モードで駆動されている状態で、基準値に対して所定値以上異なる検出値を有する輝度検出手段の位置を光源異常位置として記憶部に記憶させ、前記光源が消灯し、前記駆動手段によって前記液晶パネルが前記第２動作モードで駆動されている状態で、基準値に対して所定値以上異なる検出値を有する輝度検出手段の位置を外光異常位置として記憶部に記憶させる制御手段と、前記制御手段により記憶部に記憶された、前記光源異常位置と前記外光異常位置とが一致しているか否かを判断し、一致している位置の前記輝度検出手段を故障していると判定する判定手段を有することを特徴とする。
【発明の効果】
【０００８】
以上説明したように本発明によれば、内部輝度検出センサの故障を精度よく検出することが可能となる。
【図面の簡単な説明】
【０００９】
【図１】本発明における表示装置のブロック図を示す図である。
【図２】実施例１での、内部輝度検出センサの故障を検出するフローチャートである。
【図３】表示装置の表示画面の回転に関して説明する概念図である。
【図４】実施例２での、内部輝度検出センサの故障を検出するフローチャートである。
【発明を実施するための形態】
【００１０】
以下、添付図面を参照して、本発明の実施例を説明する。
【００１１】
（実施例１）
本実施例における液晶表示装置のブロック図を図１に示す。液晶表示装置１は、ＰＣ２からの映像データを表示する。液晶表示装置１の表示部１１は、２枚のガラス板の間に液晶材料が注入されシャッターとして駆動する液晶部１２と、バックライト光源である複数のＬＥＤ１５の光を均一に拡散させる拡散板１３とからなる液晶パネルと、バックライト基板１４とから構成される。バックライト基板１４には、複数のＬＥＤ１５と、輝度を検出する複数の内部輝度検出センサ１６が実装されており、視認方向に対して液晶部１２と拡散板１３とからなる液晶パネルの背面側に位置する。
【００１２】
ＬＥＤ１５は、液晶表示装置１全体を制御する制御部１９から指示を受けたＬＥＤドライバ１７によって駆動される。内部輝度検出センサ１６の検出値はセンサアンプ１８で増幅されて制御部１９に出力される。記憶部２０は、制御部１９の制御により、内部輝度検出センサ１６の位置や該内部輝度検出センサ１６の検出値などの各種データを記憶しておく。具体的には、製品出荷時に工場等で設定された、複数のＬＥＤ１５を点灯させたときに輝度等が均一になるようにＬＥＤドライバ１７を補正する補正データが点灯補正データとして記憶部２０に記憶されている。また、複数の内部輝度検出センサ１６の感度差を補正する補正データが検出補正データとして記憶部２０に記憶されている。
【００１３】
通常の表示動作では、制御部１９はＬＥＤ１５を点灯させる際に点灯補正データを記憶部２０から読み出し、均一に点灯するようにＬＥＤ１５を制御する。同様に制御部１９は内部輝度検出センサ１６を使用する際は、検出補正データを記憶部２０から読み出し、内部輝度検出センサ１６の感度差を補正するように制御する。駆動部２１は制御部１９の指示に応じて、ＬＥＤ１５の光の表示装置外部への透過率を制御するように液晶部１２の駆動を行う。例えば、駆動部２１は、液晶部１２の液晶材料の配向を変化させることで、ＬＥＤ１５の光が液晶表示装置１の外部へ透過する透過状態と、ＬＥＤ１５の光が液晶表示装置１の外部へ透過しない遮光状態とを実現できる。
【００１４】
一方、ＰＣ２から映像入力部２３に入力された映像データは、映像処理部２４で色や解像度が最適に処理されて映像出力部２５に送られ、表示部１１に表示される。ＯＳＤ（Ｏｎ  Ｓｃｒｅｅｎ  Ｄｉｓｐｌａｙ）部２２は制御部１９の指示を内部バスを介して受け取り、表示するメッセージ等を作成し、映像出力部２５で映像処理部２４からの映像データと合成されて、表示部に表示される。
【００１５】
液晶表示装置１はＰＣ２とＵＳＢ（Ｕｎｉｖｅｒｓａｌ  Ｓｅｒｉａｌ  Ｂｕｓ）等で接続され、ＵＳＢ−ＩＦ部２６は、ＰＣ２とキャリブレーション値などのデータを双方向で通信し、内部バスを介して制御部１９とつながっている。
【００１６】
内部輝度検出センサ１６が故障していた場合、正しい検出補正データを得ることができず、適正なＬＥＤ１５の補正を行うことができない。図２を用いて、内部輝度検出センサ１６の故障検出について説明する。以下に説明する内部輝度検出センサ１６の故障検出は、定期的に行ってもよいし、ユーザが所望したときに行ってもよい。
【００１７】
まず、内部輝度検出センサ１６の故障検出動作が開始されると、ステップＳ２０１において、ＬＥＤドライバ１７はＬＥＤ１５を点灯させるように駆動し、駆動部２１は液晶部１２を遮光状態になるように駆動する。駆動部２１が液晶部１２を遮光状態になるように駆動すると、液晶表示装置１の外部から照射される外光は液晶部１２で遮断され、バックライト基板１４上の複数の内部輝度検出センサ１６に導かれない。このような駆動部２１による液晶部１２の駆動を第１動作モードと称する。
【００１８】
ステップＳ２０２では、制御部１９は、センサアンプ１８を介した複数の内部輝度検出センサ１６の検出値Ｖｔを読み出す。そしてステップＳ２０３で制御部１９は、複数の内部輝度検出センサ１６の検出値Ｖｔから平均値Ｖａｔを算出し、ステップＳ２０４で平均値Ｖａｔと各内部輝度検出センサ１６の検出値Ｖｔとの差分｜Ｖａｔ−Ｖｔ｜が所定値以上であるか否かを判断する。本実施例では、平均値Ｖａｔとの差分を用いて所定値以上であるか否かを判断するが、平均値Ｖａｔの代わりに予め定められた基準値と検出値Ｖｔとの差分が所定値以上であるか否かを判断してもよい。
【００１９】
平均値Ｖａｔと各内部輝度検出センサ１６の検出値Ｖｔとが所定値以上異なると判定された場合は、ステップＳ２０５で制御部１９は、該内部輝度検出センサ１６の位置を光源異常位置として記憶部２０に記憶させる。一方、平均値Ｖａｔと各内部輝度検出センサ１６の検出値Ｖｔとの差分｜Ｖａｔ−Ｖｔ｜が所定値未満だと判定された場合は、ステップＳ２０６で制御部１９は、該差分｜Ｖａｔ−Ｖｔ｜を該内部輝度検出センサ１６の検出補正データとして記憶部２０に記憶させる。
【００２０】
ステップＳ２０７において、ＬＥＤドライバ１７はＬＥＤ１５を消灯させるように駆動し、駆動部２１は液晶部１２を透過状態になるように駆動する。駆動部２１が液晶部１２を透過状態に駆動すると、液晶表示装置１の外部から照射される外光は液晶部１２を透過し、バックライト基板１４上の複数の内部輝度検出センサ１６に導かれる。このような駆動部２１による液晶部１２の駆動を第２動作モードと称する。
【００２１】
ステップＳ２０８で制御部１９は、センサアンプ１８を介した複数の内部輝度検出センサ１６の検出値Ｖｓを読み出す。そしてステップＳ２０９で制御部１９は、複数の内部輝度検出センサ１６の検出値Ｖｓから平均値Ｖａｓを算出し、ステップＳ２１０で平均値Ｖａｓと各内部輝度検出センサ１６の検出値Ｖｓとの差分｜Ｖａｓ−Ｖｓ｜が所定値以上であるか否かを判断する。本実施例では、平均値Ｖａｓとの差分を用いて所定値以上であるか否かを判断するが、平均値Ｖａｓの代わりに予め定められた基準値と検出値Ｖｓとの差分が所定値以上であるか否かを判断してもよい。
【００２２】
平均値Ｖａｓと各内部輝度検出センサ１６の検出値Ｖｓとが所定値以上異なると判定された場合は、ステップＳ２１１で制御部１９は、該内部輝度検出センサ１６の位置を外光異常位置として記憶部２０に記憶させる。一方、平均値Ｖａｓと各内部輝度検出センサ１６の検出値Ｖｓとの差分｜Ｖａｓ−Ｖｓ｜が所定値未満だと判定された場合は、ステップＳ２１２で制御部１９は、該差分｜Ｖａｓ−Ｖｓ｜を該内部輝度検出センサ１６の検出補正データとして記憶部２０に記憶させる。
【００２３】
ステップＳ２１３で制御部１９は、ステップＳ２０５で記憶部２０に記憶させた光源異常位置と、ステップＳ２１１で記憶部２０に記憶させた外光異常位置とを比較し、ステップＳ２１４で一致している位置の内部輝度検出センサ１６を故障していると判定する。故障していると判定された内部輝度検出センサ１６がある場合には、制御部１９はＯＳＤ部２２に内部輝度検出センサが故障している旨をユーザに通知するためのメッセージを作成する指示をする。作成されたメッセージは、映像出力部２５に送られて表示部に表示し、故障している内部輝度検出センサがあることがユーザに通知される。ＯＳＤ部２２で作成されるメッセージは、単に故障している内部輝度検出センサが存在することを示すのみでもよく、加えて故障している内部輝度検出センサの位置を示してもよい。
【００２４】
ステップＳ２１５で制御部１９は、先ほどのステップＳ２０６またはステップＳ２１２にて新たな検出補正データが記憶部２０に記憶されたか否かを判断する。ステップＳ２１５で新たな検出補正データが記憶されていないと判定された場合は、内部輝度検出センサの故障検出処理を終了する。新たな検出補正データが記憶されていたと判定された場合、ステップＳ２０６で記憶された差分｜Ｖａｔ−Ｖｔ｜またはステップＳ２１２で記憶された差分｜Ｖａｓ−Ｖｓ｜に基づいて、内部輝度検出センサの検出補正データを更新する。１つの内部輝度検出センサについて、差分｜Ｖａｔ−Ｖｔ｜及び差分｜Ｖａｓ−Ｖｓ｜が記憶されていた場合には、どちらか一方の差分を検出補正データとして更新しても良いし、差分｜Ｖａｔ−Ｖｔ｜及び差分｜Ｖａｓ−Ｖｓ｜の平均を検出補正データとしてもよい。ステップＳ２１６で検出補正データの更新が完了した場合は、内部輝度検出センサの故障検出処理を終了する。
【００２５】
検出補正データを用いた補正処理を説明する。まず補正処理を行うために各内部輝度検出センサ１６の検出値Ｖｃを読み出す。更に、複数の内部輝度検出センサ１６の検出値Ｖｃから平均値Ｖａｃを算出する。また、図２のＳ２１８で更新した検出補正データをＶｍとし、検出補正データＶｍを算出したときの複数の内部輝度検出センサ１６の平均値Ｖａを記憶部２０から読み出す。ここで、図２のＳ２１８で検出補正データＶｍとして｜Ｖａｔ−Ｖｔ｜を採用した場合には、平均値ＶａとはＶａｔとなり、検出補正データＶｍとして｜Ｖａｓ−Ｖｓ｜を採用した場合には、平均値ＶａとはＶａｓとなる。各内部輝度検出センサ１６の検出値Ｖｃに、Ｖｍ×Ｖａｃ／Ｖａを加算した値を加算した値が、各内部輝度検出センサ１６の補正処理後の出力値となる。
【００２６】
以上のように、外光を用いずにＬＥＤのようなバックライト光源のみを用いて内部輝度検出センサで輝度を検出した結果と、バックライト光源を用いずに外光のみを用いて内部輝度検出センサで輝度を検出した結果とを用いて、内部輝度検出センサの故障検出を行う。外光またはバックライト光源のどちらか一方のみを用いた検出結果に比べて、外光及びバックライト光源自体の面内の不均一による誤検出を防ぐことができる。つまり、外光及びバックライト光源を用いることで、内部輝度検出センサの故障を精度よく検出することができる。
【００２７】
（実施例２）
実施例１では、ＬＥＤ１５を点灯させ、液晶部１２を遮光状態になるように駆動する第１動作モードと、ＬＥＤ１５を消灯させ、液晶部１２を透過状態になるように駆動する第２動作モードとを用いて、内部輝度検出センサの故障検出を行った。
【００２８】
内部輝度検出センサで検出する外光またはバックライト光源が十分均一なら、第１動作モードまたは第２動作モードのどちらか一方だけでも、内部輝度検出センサの故障検出を行うことができる。しかし実際には、特に外光においては例えば表示画面の上部と下部とで１０％程度の輝度むらがあることがある。そこで実施例２では、表示画面部が回転可能な表示装置において、表示画面部の回転前と回転後とで、ＬＥＤ１５を消灯させ、液晶部１２を透過状態になるように駆動する第２動作モードでの輝度検出を行う。表示画面の領域によって外光による輝度むらがある場合でも、故障検出精度を向上させることが出来る。
【００２９】
本実施例における表示装置のブロック図は図１と同様である。本実施例の液晶表示装置１は図３のように表示部１１を含む表示画面３１とスタンド部３２から構成される。スタンド部３２の図示しない回転機構により表示画面３１が表示画面と水平な平面上で９０度以上回転可能であり、図３（ａ）、図３（ｃ）のような横表示と図３（ｂ）のような縦表示が行える。
【００３０】
図４を用いて内部輝度検出センサ１６の故障検出について説明する。以下に説明する内部輝度検出センサ１６の故障検出は、定期的に行ってもよいし、ユーザが所望したときに行ってもよい。
【００３１】
ステップＳ４０１ではまず液晶表示装置１を図３（ａ）のように横表示にする。このときの表示画面の向きを第１方向とする。ステップＳ４０２で、ＬＥＤドライバ１７はＬＥＤ１５を消灯させるように駆動し、駆動部２１は液晶部１２を透過状態になるように駆動する動作モードで液晶部１２を駆動する。ステップＳ４０３では、制御部１９は、センサアンプ１８を介した複数の内部輝度検出センサ１６の検出値Ｖｈを読み出す。そしてステップＳ４０４で制御部１９は、複数の内部輝度検出センサ１６の検出値Ｖｈから平均値Ｖａｈを算出し、ステップＳ４０５で平均値Ｖａｈと各内部輝度検出センサ１６の検出値Ｖｈとの差分｜Ｖａｈ−Ｖｈ｜（第１差分）が所定値以上か否かを判断する。
【００３２】
平均値Ｖａｈと各内部輝度検出センサ１６の検出値Ｖｈとの差分｜Ｖａｈ−Ｖｈ｜が所定値以上であると判定された場合は、ステップＳ４０６で制御部１９は、該内部輝度検出センサ１６の位置を第１異常位置として記憶部２０に記憶させる第１の制御を行う。一方、平均値Ｖａｈと各内部輝度検出センサ１６の検出値Ｖｈとの差分｜Ｖａｈ−Ｖｈ｜が所定値未満だと判定された場合は、ステップＳ４０７で制御部１９は、該差分｜Ｖａｈ−Ｖｈ｜を該内部輝度検出センサ１６の検出補正データとして記憶部２０に記憶させる。
【００３３】
ステップＳ４０８では液晶表示装置１を図３（ｂ）のように縦表示にする。このときの表示画面の向きを第２方向とする。ステップＳ４０９で制御部１９は、センサアンプ１８を介した複数の内部輝度検出センサ１６の検出値Ｖｖを読み出す。そしてステップＳ４１０で制御部１９は、複数の内部輝度検出センサ１６の検出値Ｖｖから平均値Ｖａｖを算出し、ステップＳ４１１で平均値Ｖａｖと各内部輝度検出センサ１６の検出値Ｖｖとの差分｜Ｖａｖ−Ｖｖ｜（第２差分）が所定値以上か否かを判断する。
【００３４】
平均値Ｖａｖと各内部輝度検出センサ１６の検出値Ｖｖとの差分｜Ｖａｖ−Ｖｖ｜が所定値以上であると判定された場合は、ステップＳ４１２で制御部１９は、該内部輝度検出センサ１６の位置を第２異常位置として記憶部２０に記憶させる第２の制御を行う。一方、平均値Ｖａｖと各内部輝度検出センサ１６の検出値Ｖｖとの差分｜Ｖａｖ−Ｖｖ｜が所定値未満だと判定された場合は、ステップＳ４１３で制御部１９は、該差分｜Ｖａｖ−Ｖｖ｜を該内部輝度検出センサ１６の検出補正データとして記憶部２０に記憶させる。
【００３５】
ステップＳ４１４で制御部１９は、ステップＳ２０５で記憶部２０に記憶させた第１異常位置と、ステップＳ２１１で記憶部２０に記憶させた第２異常位置とを比較し、ステップＳ４１５で一致している位置の内部輝度検出センサ１６を故障していると判定する。故障していると判定された内部輝度検出センサ１６がある場合には、制御部１９はＯＳＤ部２２に内部輝度検出センサが故障している旨をユーザに通知するためのメッセージを作成する指示をする。作成されたメッセージは、映像出力部２５に送られて表示部に表示し、故障している内部輝度検出センサがあることがユーザに通知される。ＯＳＤ部２２で作成されるメッセージは、単に故障している内部輝度検出センサが存在することを示すのみでもよく、加えて故障している内部輝度検出センサの位置を示してもよい。
【００３６】
ステップＳ４１６で制御部１９は、先ほどのステップＳ４０７またはステップＳ４１３にて新たな検出補正データが記憶部２０に記憶されたか否かを判断する。ステップＳ４１６で新たな検出補正データが記憶されていないと判定された場合は、内部輝度検出センサの故障検出処理を終了する。新たな検出補正データが記憶されていたと判定された場合、ステップＳ４０７で記憶された差分｜Ｖａｈ−Ｖｈ｜またはステップＳ４１３で記憶された差分｜Ｖａｖ−Ｖｖ｜に基づいて、内部輝度検出センサの検出補正データを更新する。１つの内部輝度検出センサについて、差分｜Ｖａｈ−Ｖｈ｜及び差分｜Ｖａｖ−Ｖｖ｜が記憶されていた場合には、どちらか一方の差分を検出補正データとして更新しても良いし、差分｜Ｖａｈ−Ｖｈ｜及び差分｜Ｖａｖ−Ｖｖ｜の平均を検出補正データとしてもよい。ステップＳ４１７で検出補正データの更新が完了した場合は、内部輝度検出センサの故障検出処理を終了する。
【００３７】
本実施例では、液晶表示装置１を図３（ａ）のような横表示にした状態と、図３（ａ）の横表示から表示画面と水平な平面上で９０度回転させた図３（ｂ）のような縦表示にした状態とで故障検出を行った。液晶表示装置１の表示画面が１８０度回転可能であれば、図３（ａ）の横表示と、図３（ａ）の横表示から表示画面と水平な平面上で１８０度回転させた図３（ｃ）の表示状態とで、故障検出を行ってもよい。
【００３８】
以上のように、表示装置の表示画面の回転前の状態において内部輝度検出センサで輝度を検出した結果と、表示装置の表示画面の回転後の状態において内部輝度検出センサで輝度を検出した結果とを用いて、内部輝度検出センサの故障検出を行う。これにより、表示画面の領域によって外光による輝度むらがある場合の誤検出を防ぐことができる。つまり、内部輝度検出センサの故障を精度よく検出することができる。
【符号の説明】
【００３９】
１５  ＬＥＤ
１６  内部輝度検出センサ
１８  センサアンプ
１９  制御部
２０  記憶部
２１  駆動
【図１】
2012037540.tif 000003
【図２】
2012037540.tif 000004
【図３】
2012037540.tif 000005
【図４】
2012037540.tif 000006